(57)【要約】【課題】環境ノイズに対する電磁遮蔽特性を確保しつつ、高域特性の耐久化を図って衛星放送まで安定してカバーすることができる小型かつ簡易な構成のケーブルテレビ用分配・分岐器を提供する。【解決手段】ケーブルテレビ用分配・分岐器１は、受けた高周波電流を分配または分岐する分流回路部材２と、この分流回路部材２を内設保持するシールドケース３と、このシールドケース３の収納開口を塞ぐ蓋部材４と、上記分流回路部材２と接続する導通材５ａを同シールドケース３の内外間に貫通保持する接続端子部５とから構成され、上記シールドケース３は、その収納開口部に形成した座ぐりによる嵌合固定部６ａとその嵌合全周に及ぶソルダーシールディングによる封止材４ｓとからなる収納開口の封止手段を備え、かつ、上記接続端子部５には導通材５ａの貫通保持部を防湿密封する防湿樹脂材５ｓを介設したものである。【選択図】図２
0003124231.tif 000002
【実用新案登録請求の範囲】
【請求項１】
受けた高周波電流を分配または分岐する分流回路部材（２）と、この分流回路部材（２）を内設保持するシールドケース（３）と、このシールドケース（３）の収納開口を塞ぐ蓋部材（４）と、上記分流回路部材（２）と接続する導通材（５ａ）を同シールドケース（３）の内外間に貫通保持する接続端子部（５）とからなるケーブルテレビ用分配・分岐器において、上記シールドケース（３）は、その収納開口部に形成した座ぐりによる嵌合固定部（６ａ）とその嵌合全周に及ぶソルダーシールディングによる封止材（４ｓ）とからなる収納開口の封止手段を備え、かつ、上記接続端子部（５）には導通材（５ａ）の貫通保持部（５ｈ）を防湿密封する防湿樹脂材（５ｓ）を介設することを特徴とするケーブルテレビ用分配・分岐器。
【請求項２】
受けた高周波電流を分配または分岐する分流回路部材（２）と、この分流回路部材（２）を内設保持するシールドケース（３）と、このシールドケース（３）の収納開口を塞ぐ蓋部材（４）と、上記分流回路部材（２）と接続する導通材（５ａ）を同シールドケース（３）の内外間に貫通保持する接続端子部（５）とからなるケーブルテレビ用分配・分岐器において、上記シールドケース（３）は、その収納開口部に形成した溝と突条体とによって形成されるタングアンドグルーブにより嵌合固定する嵌合固定部（６ｂ）とその嵌合全周に介設する防湿樹脂材（４ｔ）とからなる収納開口の封止手段を備え、かつ、上記接続端子部（５）には導通材（５ａ）の貫通保持部を防湿密封する防湿樹脂材（５ｂ）を介設することを特徴とするケーブルテレビ用分配・分岐器。
【考案の詳細な説明】
【技術分野】
【０００１】
本考案は、通信ケーブルから受けた高周波電流を分配または分岐するケーブルテレビ用分配・分岐器に関するものである。
【背景技術】
【０００２】
ＣＡＴＶ用の同軸ケーブルによって受けた高周波電流をＴＶチューナー等の複数の機器に分けるための分配・分岐器は、例えば、非特許文献１に示すように、シールドケース内に収納保持した分流回路部とＦ型接栓等の入力・出力の接続端子部とから構成される。
シールドケースの収納開口は蓋板で密閉され、また、接続端子部は分流回路部と接続する導電材が絶縁保持される構成により、内部機器の保護と電磁遮蔽性が確保されている。
また、近年のインターネットやデジタル放送の一般化と対応して高速の通信機器が身近な存在となり、分配・分岐器についても、従来の専用ボックス内や建物壁内における設置方式から、壁面ダクト内やＴＶチューナー近傍に配置されるケーブル付属品として生活の場に入り込むようになってきている。
このような状況下において、電磁放射の環境規制、および、ヘヤードライヤ、バイブレータ等の近接使用による生活機器ノイズに対する電磁遮蔽特性を確保した上で機器の小型化が求められるとともに、さらに高域の衛星放送（２．６ＧＨｚ）までカバーする汎用の通信システムの市場動向が注目されている。
【非特許文献１】米国ＲＭＳｅｌｅｃｔｒｏｎｉｃｓ社システム機器カタログ（１９７９年印刷）
【考案の開示】
【考案が解決しようとする課題】
【０００３】
しかしながら、衛星放送（２．６ＧＨｚ）までカバーするための汎用の通信システムにおいては、高域対応の面で分配器・分岐器の耐久性の問題が新たに発生し、如何にして製造コストを抑えつつ高域特性の耐久化を図るかが大きな課題となっている。
【０００４】
本考案の目的は、環境ノイズに対する電磁遮蔽特性を確保しつつ、高域特性の耐久化を図って衛星放送まで安定してカバーすることができる小型かつ簡易な構成のケーブルテレビ用分配・分岐器を提供することにある。
【課題を解決するための手段】
【０００５】
請求項１に係る考案は、受けた高周波電流を分配または分岐する分流回路部材と、この分流回路部材を内設保持するシールドケースと、このシールドケースの収納開口を塞ぐ蓋部材と、上記分流回路部材と接続する導通材を同シールドケースの内外間に貫通保持する接続端子部とからなるケーブルテレビ用分配・分岐器において、上記シールドケースは、その収納開口部に形成した座ぐりによる嵌合固定部とその嵌合全周に及ぶソルダーシールディングによる封止材とからなる収納開口の封止手段を備え、かつ、上記接続端子部には導通材の貫通保持部を防湿密封する防湿樹脂材を介設することを特徴とする。
【０００６】
請求項２に係る考案は、受けた高周波電流を分配または分岐する分流回路部材と、この分流回路部材を内設保持するシールドケースと、このシールドケースの収納開口を塞ぐ蓋部材と、上記分流回路部材と接続する導通材を同シールドケースの内外間に貫通保持する接続端子部とからなるケーブルテレビ用分配・分岐器において、上記シールドケースは、その収納開口部に形成した溝と突条体とにより嵌合固定するタングアンドグルーブ嵌合固定部とその嵌合全周に介設する防湿樹脂材とからなる収納開口の封止手段を備え、かつ、上記接続端子部には導通材の貫通保持部を防湿密封する防湿樹脂材を介設することを特徴とする。
【０００７】
上記両請求項の考案につき、上記シールドケースの収納開口部は、蓋部材が座ぐり嵌合固定されてその嵌合部の全周に及ぶソルダーシールディングによって封止され、または、蓋部材がタングアンドグルーブ嵌合固定されて防湿樹脂材によって同様に封止され、かつ、接続端子部の導通材は防湿樹脂材によって防湿保持される。
【考案の効果】
【０００８】
本考案のケーブルテレビ用分配・分岐器は、以下の効果を奏する。
上記考案のケーブルテレビ用分配・分岐器は、シールドケースと収納開口部および接続端子部における高度の防湿機密性とにより、電磁波および水分の侵入流通を確実に遮断することができるので、簡易な構成により、内部機器の高域特性の劣化を招くことなく、長期にわたりその全特性を安定して維持することができる。
【考案を実施するための最良の形態】
【０００９】
本考案の実施の形態について、以下に図面に基づいて詳細に説明する。
本考案の１例を示す２分配仕様のケーブルテレビ用分配器１は、部分破断平面図を図１に示すように、受けた高周波電流を等分配する分流回路部材２と、この分流回路部材２を内設保持するシールドケース３と、このシールドケース３の収納開口を塞ぐ蓋部材４と、上記分流回路部材２の入出力用のＦ型接栓等による３つの接続端子部５…とから構成される。
【００１０】
上記構成部材についてさらに詳細に説明すると、分流回路部材２は、回路基板上に構成されてシールドケース３内に収容保持され、入力用の接続端子部５から受けた高域の衛星放送（２．６ＧＨｚ）を含む高周波電流を出力用の複数の接続端子部５，５に同等配分しつつ、出力側から受ける特定帯域信号を減衰することによって他の出力端子側および入力端子側への影響を遮断する。
【００１１】
シールドケース３は、部分縦断側面図および図１におけるＣ−Ｃ線による部分横断面図をそれぞれ図２、図３に示すように、亜鉛等の導電性材料による電磁遮蔽用の箱形の収納容器であり、複数の接続端子部５…を一体に形成するとともに、ケーブルダクト内に収納可能な程度に底面の角部３ｃ、３ｃを落として小型に構成する。シールドケース３の片面側には収納開口を形成し、容器内周に形成した複数の支持部３ｈ…により分流回路部材２を嵌合固定する。
【００１２】
また、シールドケース３の収納開口部には、蓋部材４による防湿固定手段を構成して電磁シールドとともに水分の侵入を遮断する。具体的には、収納開口部に形成した座ぐりによる嵌合固定部６ａを周回形成して蓋部材４を嵌合固定し、その嵌合全周に及ぶソルダーシールディング（ハンダ等によるろうづけ密閉処理）による封止材４ｓを介設する。
【００１３】
接続端子部５は、シールドケース３と一体の筒状ケース５ｃにシールドケース３の内外を貫通して分流回路部材２と接続する導通材５ａを絶縁性の貫通保持材５ｈによって保持することによりＦ型接栓等のケーブル接続部を形成する。また、貫通保持材５ｈには分流回路部材２に臨む側の全面に防湿樹脂材５ｓを充填する。この防湿樹脂材５ｓにより、貫通保持材５ｈと導通材５ａとの間や貫通保持材５ｈと筒状ケース５ｃとの間の隙間、さらに貫通保持材５ｈそのものから染み出すように侵入する水分を確実に遮断することができる。
【００１４】
以上の説明のように、ケーブルテレビ用分配・分岐器は、入力端子側に接続した同軸ケーブルからの信号を出力端子側に分配し、その際に、シールドケースの収納開口部および接続端子部における高度の防湿機密性とにより、電磁波および水分を含む外気の侵入流通を確実に遮断することができるので、簡易な構成により、高域特性の劣化を招くことなく内部機器が保護され、長期にわたりその全特性を安定して維持することができる。
【００１５】
また、シールドケース３の収納開口部については、別の構成例として、その要部横断面図を図４に示すように、シールドケース３の収納開口部に溝と突条体とからなるタングアンドグルーブによって蓋部材４を嵌合固定する嵌合固定部６ｂを形成し、この嵌合固定部６ｂによって蓋部材４を嵌合固定するとともに、その嵌合全周に防湿樹脂材４ｔを介設することによって収納開口の封止手段を構成する。
【００１６】
このように構成した収納開口部の封止手段により、前記同様に、電磁波および水分の侵入流通を確実に遮断することができるので、簡易な構成により、内部機器の高域特性の劣化を招くことなく、長期にわたりその全特性を安定して維持することができる。
【００１７】
なお、以上における説明は２分配型の分配器に限定されるものでなく、出力側に３端子以上を有するもの、および出力側の配分比が異なる分岐器についても適用されるものであり、いずれも、前記共通の構成によって前記同様の作用効果を奏することが明らかであることから、その個々の説明を省略する。
【図面の簡単な説明】
【００１８】
【図１】本考案のケーブルテレビ用分配器の部分破断平面図である。
【図２】図１のケーブルテレビ用分配器の部分縦断側面図である。
【図３】図１のＣ−Ｃ−Ｃ線断面図である。
【図４】別構成例を示す収納開口部の要部横断面図である。
【符号の説明】
【００１９】
１    ケーブルテレビ用分配・分岐器
２    分流回路部材
３    シールドケース
４    蓋部材
４ｓ    封止材
４ｔ    封止材（防湿樹脂材）
５    接続端子部
５ａ    導通材
５ｈ    貫通保持材
５ｓ    防湿樹脂材
６ａ    嵌合固定部
６ｂ    嵌合固定部
【図１】
0003124231.tif 000003
【図２】
0003124231.tif 000004
【図３】
0003124231.tif 000005
【図４】
0003124231.tif 000006